(57)【要約】      （修正有）【課題】小型化しつつも、雑音が少ないモノラル音声記録と、ステレオ感のある音声記録を供なう撮影を可能とする撮像装置を提供する。【解決手段】撮像装置の撮影光学系の光軸と平行な回転軸２０８を有し、軸周りに回動可能な回転部２０１を有し、回転部は、撮像装置本体に対して、収納状態となる第一の位置、収納状態から回転した第二の位置、第二の位置からさらに回転した第三の位置に移動可能とし、回転部の正面にストロボ発光部２０４、両側面に第一のマイク２０２、第二のマイクを配置した。【選択図】図３
2016082275.tif 000002
【特許請求の範囲】
【請求項１】
撮像装置の撮影光学系の光軸と平行な軸を有し、該軸周りに回動可能な回転部を有し、前記回転部は、撮像装置本体に対して、収納状態となる第一の位置、収納状態から回転した第二の位置、第二の位置からさらに回転した第三の位置に移動可能とし、回転部の正面にストロボ発光部、両側面に第一、第二のマイクを配置したことを特徴とする撮像装置。
【請求項２】
前記回転部を回転駆動するための駆動手段と、前記撮像装置の姿勢を検出する撮像装置姿勢検出手段、前記回転部の前記撮像装置本体に対する回転位置を検出する回転部位置検出手段を有し、前記撮像装置姿勢検出手段からの情報により前記回転部を第一の位置、第二の位置、第三の位置に回転移動させる制御を行う駆動制御手段を有することを特徴とする請求項１に記載の撮像装置。
【請求項３】
前記第一のマイクと第二のマイクからの音声信号の処理方法として複数のモードを選択指定する音声処理方法選択手段を有し、前記音声処理方法選択手段からの情報により、前記第一のマイクと第二のマイクからの音声信号を選択された方法により処理する音声処理制御手段を有することを特徴とする請求項１又は請求項２に記載の撮像装置。
【請求項４】
前記音声処理方法選択手段からの情報により、音声処理方法として第一のモードが選択された場合は、前記回転部は収納状態となる第一の位置に移動され、前記第一のマイクにより撮像装置本体内部のレンズ駆動装置からの発生音を集音し、前記第二のマイクにより撮像装置周辺の音声を集音し、前記音声処理制御手段は、撮像装置周辺の音声に含まれるレンズ駆動装置からの発生音を軽減することを特徴とする請求項３に記載の撮像装置。
【請求項５】
ストロボの発光を制御する制御手段を有し、前記音声処理方法選択手段からの情報により、音声処理方法として第一のモードが選択された場合は、前記回転部は収納状態となる第一の位置に移動され、前記ストロボの発光を制御する制御手段はストロボの発光を禁止する制御をおこなうことを特徴とした請求項２乃至請求項４の何れか一項に記載の撮像装置。
【請求項６】
前記音声処理方法選択手段からの情報により、音声処理方法として第二のモードが選択され、前記撮像装置の姿勢を検出する撮像装置姿勢検出手段からの情報が撮像装置が横撮影姿勢となる第一の姿勢、または縦位置撮影となる第二の姿勢の場合は、前記回転部は横位置撮影状態または縦位置撮影となる第二の位置または第三の位置に移動され、前記音声処理制御手段は、第一のマイクと第二のマイクからの音声信号を処理してステレオ音声とし、記録部に記録することを特徴とする請求項２又は請求項３に記載の撮像装置。
【発明の詳細な説明】
【技術分野】
【０００１】
本発明は、撮像装置に関し、特に撮像装置本体に対して、マイクを回動可能に取り付けた撮像装置に関する。
【背景技術】
【０００２】
従来より、デジタルカメラ等の撮像装置では、音声入力用のマイクエレメントが複数搭載され、静止画撮影においてもステレオ音声データを同時に記録される撮像装置が提供されているが、撮像装置本体内部にはレンズ駆動モーター等のノイズ発生源があり外部音声に混合して入力され、再生時に聞きにくい音声になってしまうという問題があった。
【０００３】
さらに、ストロボ発光部が撮像レンズ部からの距離が近いと発光光線がレンズ周りの外装により遮られ、被写体に発光光線が照射されない部分ができ、不自然な画像となってしまうという問題があった。
【０００４】
このような問題を防止するために、特許文献１に開示の撮像装置においては、マイクエレメントと、ストロボ発光部を撮像装置本体上部で、本体に対し回動可能な部材に搭載し、回転軸により回転し本体から離れた状態でマイクエレメントによる集音が可能で、撮像装置本体内部のレンズ駆動モーター等のノイズを低減可能とし、またストロボ発光光線がレンズ周りの外装により遮られずに被写体を照射可能な撮像装置が提供されている。
【先行技術文献】
【特許文献】
【０００５】
【特許文献１】特開２００３−３４８４１９号公報
【発明の概要】
【発明が解決しようとする課題】
【０００６】
しかしながら、上記従来例の撮像装置では、通常の姿勢で撮影する横位置撮影に於いて、ステレオ感が最適となるようにマイクエレメントを撮像装置の水平方向に並んだ位置に配置している。そのため、撮像装置本体を光軸中心に９０度回転させた姿勢で撮影する縦位置撮影では二つのマイクエレメントが垂直方向に並んだ位置となり、上下方向に分離した音声記録を行うことになるため、再生時には上下方向の音をそれぞれ左右のスピーカーから再生し、再生される画像の向きと音のステレオ感が異なるため、違和感を感じさせてしまうという問題があった。
【０００７】
さらに、ストロボ発光部は横位置撮影時に発光光線が最適に照射されるよう撮像レンズ上部から発光する位置に配置されている。縦位置撮影では、撮像レンズの横から発光して被写体に照射することになり、人物等の被写体に照射された光線の影が人物の横に発生し、撮像画像が意図しないものとなってしまうという問題があった。
【０００８】
そこで、本発明の目的は、撮像装置本体の小型化を損なわずに、撮像装置本体内部のレンズ駆動モーター等のノイズを低減可能とし、縦位置撮影においても、再生時に再生される画像の向きと合致した音のステレオ感を表現することと、ストロボ発光による被写体の影の発生を自然にすることを可能にした撮像装置を提供することである。
【課題を解決するための手段】
【０００９】
上記目的を達成するために、本発明は、撮像装置の撮影光学系の光軸と平行な軸を有し、該軸周りに回動可能な回転部を有し、前記回転部は、撮像装置本体に対して、収納状態となる第一の位置、収納状態から回転した第二の位置、第二の位置からさらに回転した第三の位置に移動可能とし、回転部の正面にストロボ発光部、両側面に第一、第二のマイクを配置としたことを特徴としている。
【発明の効果】
【００１０】
本発明によれば、撮像装置本体の小型化を損なわずに、撮像装置本体を垂直方向に回転させた姿勢で撮影する縦位置撮影においても、撮像装置本体内部のノイズ音を低減可能とし、再生時に再生される画像の向きと合致した音のステレオ感を表現することと、ストロボ発光による被写体の影の発生を自然にすることを可能にした撮像装置を提供することが可能である。
【００１１】
また、ストロボ発光部、複数のマイクを配置した前記回転部が本体に対して収納された位置と、横撮影位置、縦撮影位置でマイクにより出力された音声信号の制御を変えることにより、回転部が本体に対して収納された位置においても、撮像装置本体内部のノイズ音を低減可能とした撮像装置を提供することが可能である。
【図面の簡単な説明】
【００１２】
【図１】本発明の一実施形態としてのデジタルカメラの構成を示すブロック図である。
【図２】本発明によるデジタルカメラの横撮影姿勢時の正面側から見た斜視図である。
【図３】回転部の正面側から見た斜視図である。
【図４】図２の状態の正面図である。
【図５】図２の状態を背面側から見た斜視図である。
【図６】回転部が第一の位置にある時のデジタルカメラの正面側から見た斜視図である。
【図７】回転部が第一の位置にある時のデジタルカメラの背面側から見た斜視図である。
【図８】本発明の一実施形態としてのデジタルカメラの縦撮影姿勢時の正面図である。
【図９】図８の状態を正面側から見た斜視図である。
【図１０】図８の状態を背面側から見た斜視図である。
【図１１】本発明の一実施形態としてのデジタルカメラの動作フローチャートである。
【図１２】本発明によるデジタルカメラの音声処理制御回路部のブロック図である。
【発明を実施するための形態】
【００１３】
＜第１の実施形態＞
図１は本発明の一実施形態としてのデジタルカメラの構成を示すブロック図である。このデジタルカメラは、本体１０１を有し、内部にカメラ全体の動作を制御する制御回路１０５を有する。制御回路１０５には、撮像レンズユニット１０２、ＣＣＤなどの撮像素子１０３からの入力信号を処理するカメラ信号処理回路１０４と、カメラ信号処理回路１０４により処理された画像情報と音声情報を記録する記録手段１０６と、画像を表示する表示手段１０７と、本体１０１の動作を指示する操作ＳＷ１０８と、本体の姿勢を検出する本体姿勢検出ＳＷ１０９が接続される。操作ＳＷ１０８は音声処理方法を選択する音声処理方法選択ＳＷ１０８１が含まれる。
【００１４】
さらに、ストロボ発光部２０４と、第一のマイク２０２と、第二のマイク２０３を有する回転部２０１の本体１０１に対する位置を検出する回転部位置検出ＳＷ１１０と、回転部２０１を本体に対して回転移動させる回転部駆動モーター１１１が接続される。
【００１５】
制御回路１０５は、回転部駆動モーター１１１の駆動を制御する駆動モーター駆動制御回路１０５１と、第一のマイク２０２、第二のマイク２０３からの出力音声信号を音声処理方法選択ＳＷ１０８１での選択指示により音声処理を制御する音声処理制御回路１０５２と、ストロボの発光を制御するストロボ発光制御回路１０５３を有する。
【００１６】
撮像レンズユニット１０２は、ＺＯＯＭモーター１０２１と、ＡＦモーター１０２２と、シャッターユニット１０２３を有する。
【００１７】
図２は本発明の一実施形態としてのデジタルカメラの横撮影姿勢時の正面側から見た斜視図であり、撮像レンズユニット１０２の光軸１０２４に略平行な回転軸受け１１２の軸中心１１２１を回転中心として回転部２０１が回動可能であり、本体１０１に対して収納状態から略９０度回転した位置となる第二の位置にある。
【００１８】
図３は回転部２０１を正面側から見た斜視図である。回転部２０１の第一の面２０５に撮像装置の撮影レンズユニット１０２の光軸１０２４と平行な回転軸２０８の軸中心２０８１が設けられており、本体１０１の回転軸受け１１２に係合し回転軸２０８の軸中心２０８１を中心として回転可能で、収納状態となる第一の位置、収納状態から略９０度回転した第二の位置、第二の位置からさらに略９０度回転した第三の位置に移動可能である。
【００１９】
図４は図２の正面図であり、前記回転部２０１の正面側の面となる第一の面２０５にストロボ発光部２０４が撮像レンズユニット１０２の上方となる位置に配置されている。前記回転部２０１の第一の面２０５の右側の側面となる第二の面２０６に第一のマイク２０２、前記回転部２０１の第一の面２０５の左側の側面となる第三の面２０７に第二のマイク２０３が配置される。
【００２０】
図５は図２の背面側から見た斜視図を示す。１０７は画像を表示する表示手段、１０８は本体１０１を操作する操作ＳＷ群、１０８１は操作ＳＷ群１０８のうちの一つのＳＷで音声処理方法を選択する音声処理方法選択ＳＷである。
【００２１】
図６は回転部２０１が本体１０１に対して収納状態となる第一の位置にある時のデジタルカメラの正面側から見た斜視図である。図７はその背面側から見た斜視図を示す。回転部２０１が本体１０１に対して収納状態となる第一の位置にあり、前記回転部２０１の第三の面２０７に配置された第二のマイク２０３が露出しており、前記回転部２０１の正面側の面となる第一の面２０５に配置されたストロボ発光部２０４、前記回転部２０１の第二の面２０６に配置された第一のマイク２０２が本体１０１内に収納されている。
【００２２】
図８は、本発明の一実施形態としてのデジタルカメラの縦撮影姿勢時の正面図であり、回転部２０１が本体１０１に対して収納状態から略１８０度回転した位置となる第三の位置にある。図９はその正面側から見た斜視図、図１０はその背面側から見た斜視図を示す。回転部２０１が本体１０１に対して収納状態から略１８０度回転した位置となる第三の位置にあり、前記回転部２０１の正面側の面となる第一の面２０５にストロボ発光部２０４が撮像レンズユニット１０２の上方となる位置に配置されている。前記回転部２０１の第一の面２０５の右側の側面となる第二の面２０６に第一のマイク２０２、前記回転部２０１の第一の面２０５の左側の側面となる第三の面２０７に第二のマイク２０３が配置される。
【００２３】
図１１は本発明の一実施形態としてのデジタルカメラの動作フローチャートを示す。ステップＳ１０２で撮像装置本体のＰＯＷＥＲ−ＳＷがＯＮであると、ステップＳ１０３へ進み、音声モードの選択指示を受け第一のモードの場合は、ステップＳ１０４へ進み、音声をノイズキャンセルモノラルとして制御する。Ｓ１０５へ進みストロボ発光を禁止制御とする。Ｓ１０６へ進み回転部が第一の位置以外の場合は第一の位置へ移動させる。Ｓ１０７へ進み、レリーズボタンが操作されＯＮとなった場合はＳ１０８へ進み、ノーマルモノラル音声で静止画を記録する。Ｓ１０９で撮像装置本体のＰＯＷＥＲ−ＳＷがＯＦＦにされると、Ｓ１１０へ進み、回転部が第一の位置以外の場合は第一の位置へ移動させ、終了する。
【００２４】
ステップＳ１０３で、音声モードの選択指示を受け第二のモードの場合は、ステップＳ２０４へ進み、音声をステレオとして制御する。Ｓ２０５へ進み本体の姿勢を検知する。本体姿勢が横位置の場合はＳ２０６へ進み回転部を第二の位置へ移動させる。Ｓ２０７へ進み、レリーズボタンが操作されＯＮとなった場合はＳ２０８へ進み、ステレオ音声で、ストロボ発光が必要時は発光して静止画を記録し、Ｓ１０９へ進む。
【００２５】
Ｓ２０５で本体姿勢が縦位置の場合はＳ３０６へ進み回転部を第三の位置へ移動させる。Ｓ２０７へ進み、レリーズボタンが操作されＯＮとなった場合はＳ２０８へ進み、ステレオ音声で、ストロボ発光が必要時は発光して静止画を記録し、Ｓ１０９へ進む。
【００２６】
図１２は本発明によるデジタルカメラの音声処理制御回路部のブロック図である。このブロック図を用いてノイズキャンセル時の音声信号処理の一つの方法について説明する。前記回転部２０１が本体収納状態にあり、第二のマイク２０３で受音された音波は、本体外部の音声を受音し、音声信号に変換され、バッファアンプ３０１を介して加算器３０７に入力される。第一のマイク２０２で受音された音波は、音声信号に変換され、バッファアンプ３０２を介して、遅延回路３０４に入力され、アッテネータ３０６で出力信号の極性が反転されて、加算器３０７に入力される。そして加算器３０７の出力はイコライザー３０９を介して、出力端子３１１に音声信号として出力される。
【００２７】
すなわち、本体内部に位置する第一のマイク２０２が本体内部のモーター等のノイズを受音するが、モーター等の音源が第一のマイク２０２に近く、本体外部に位置する第二のマイク２０３には、第二のマイク２０３と第一のマイク２０２が所定の距離だけ離間されているため本体内部のモーター等のノイズの音波の到達が遅れる。その遅れた分だけバッファアンプ３０２の出力信号が遅延回路３０４によって遅延され、さらにアッテネータ３０６で極性が反転され、加算器３０７によってバッファアンプ３０１の出力信号と加算される。よって、加算器３０７の出力は略相殺されることにより、本体内部のノイズを低減することができる。
【００２８】
また同じ図１２のブロック図を用いてステレオ時の音声信号処理について説明する。第二のマイク２０３、第一のマイク２０２で受音された音波は、音声信号に変換され、各々バッファアンプ３０１、３０２を介して、各々遅延回路３０３、３０４に入力され、各々アッテネータ３０５、３０６で出力信号の極性が反転されて、加算器３０７、３０８に入力される。また各々加算器３０７、３０８には、各々バッファアンプ３０１、３０２の出力も入力される。そして加算器３０７、３０８の出力は各々イコライザー３０９、３１０を介して、各々出力端子３１１、３１２に音声信号として出力される。
【００２９】
すなわち、音源がＲチャンネル側の第一のマイク２０２に近いと、Ｌチャンネル側の第二のマイク２０３には、第二のマイク２０３と第一のマイク２０２が所定の距離だけ離間されているため音波の到達が遅れる。その遅れた分だけバッファアンプ３０２の出力信号が遅延回路３０４によって遅延され、さらにアッテネータ３０６で極性が反転され、加算器３０７によってバッファアンプ３０１の出力信号と加算される。よって、加算器３０７の出力は略相殺されることにより、ステレオ感を得ることができる。
【００３０】
逆に、音源がＬチャンネル側の第二のマイク２０３に近い場合は、Ｒチャンネル側の出力が略相殺される。
【００３１】
以上説明したように、本発明によれば、撮像装置本体の小型化を損なわずに、撮像装置本体を垂直方向に回転させた姿勢で撮影する縦位置撮影においても、撮像装置本体内部のノイズ音を低減可能とし、再生時に再生される画像の向きと合致した音のステレオ感を表現することと、ストロボ発光による被写体の影の発生を自然にすることを可能にした撮像装置を提供することが可能である。
【００３２】
また、ストロボ発光部、複数のマイクを配置した前記回転部が本体に対して収納された位置と、横撮影位置、縦撮影位置でマイクにより出力された音声信号の制御を変えることにより、回転部が本体に対して収納された位置においても、撮像装置本体内部のノイズ音を低減可能とした撮像装置を提供することが可能である。
【００３３】
上記の実施形態では、回転部２０１を回動させる回転部駆動モーター１１１と回転部駆動モーター１１１の動作を制御する駆動モーター駆動制御回路１０５１を有し、音声処理方法選択ＳＷの選択情報と、本体姿勢検出ＳＷの情報により、回転部の位置を決め、回転移動するフローを説明したが、回転部２０１を回動させる回転部駆動モーター１１１と、駆動モーター駆動制御回路１０５１を有せずに、ユーザーによる手動で回転部２０１を回転させ、回転部位置検出ＳＷ１１０の出力に応じて音声処理方法をかえても良い。
【００３４】
また、実施例にてノイズキャンセル時の音声信号処理方法を一つ説明したが、ノイズキャンセルの方式には各種あり、実施例で説明した方式に限ることはない。
【００３５】
上記の実施形態では音声処理方法を選択する音声処理方法選択ＳＷ１０８１は操作ＳＷ１０８に含まれる構成としたが、表示手段１０７に設けられたタッチパネルＳＷによる入力としてもよい。
【符号の説明】
【００３６】
１０１  本体、１０２  撮像レンズユニット、１０２１  ＺＯＯＭモーター、
１０２２  ＡＦモーター、１０２３  シャッターユニット、１０２４  光軸、
１０３  撮像素子、１０４  カメラ信号処理回路、１０５  制御回路、
１０５１  駆動モーター駆動制御回路、１０５２  音声処理制御回路、
１０５３  ストロボ発光制御回路、１０６  制御回路、１０７  表示手段、
１０８  操作ＳＷ群、１０８１  音声処理方法選択ＳＷ、１０９  本体姿勢検出ＳＷ、
１１０  回転部位置検出ＳＷ、１１１  回転部駆動モーター、１１２  回転軸受け、
１１２１  回転軸受け軸中心、２０１  回転部、２０２  第一のマイク、
２０３  第二のマイク、２０４  ストロボ発光部、２０５  回転部２０１の第一の面、
２０６  回転部２０１の第二の面、２０７  回転部２０１の第三の面、２０８  回転軸、
２０８１  回転軸中心
【図１】
2016082275.tif 000003
【図２】
2016082275.tif 000004
【図３】
2016082275.tif 000005
【図４】
2016082275.tif 000006
【図５】
2016082275.tif 000007
【図６】
2016082275.tif 000008
【図７】
2016082275.tif 000009
【図８】
2016082275.tif 000010
【図９】
2016082275.tif 000011
【図１０】
2016082275.tif 000012
【図１１】
2016082275.tif 000013
【図１２】
2016082275.tif 000014